(57)【特許請求の範囲】
【請求項１】
裾を有するトラウザーと、ブーツと、その上縁の少なくとも一部が上記ブーツの上縁よりも上方に位置する補強層と、シームテープとを備えており、
上記裾の近傍が、上記ブーツに接合されており、
上記補強層が、上記裾の近傍において上記トラウザーに積層され、かつ上記ブーツに積層されており、
上記ブーツの周方向に沿って、上記補強層の上縁の高さが変動しており、
上記トラウザーが、上記裾の近傍において前身頃と後身頃とを有しており、
上記前身頃と上記後身頃とが、糸によって縫合されており、
上記糸が上記シームテープで覆われていることで、上記前身頃と上記後身頃との水密が達成されており、
上記補強層の上縁の最も高い部分Ｐ１と、上記シームテープとの距離が２０ｍｍ以下であるウェーダー。
【請求項２】
上記補強層の上縁の、最も高い部分Ｐ１の高さと最も低い部分Ｐ２の高さとの差が、１０ｍｍ以上である請求項１に記載のウェーダー。
【請求項３】
上記補強層の一部が上記トラウザーと上記ブーツとに挟まれている請求項１又は２に記載のウェーダー。
【発明の詳細な説明】
【技術分野】
【０００１】
本発明は、釣り人等に着用されるウェーダーに関する。詳細には、本発明は、トラウザーとブーツとを備えたウェーダーに関する。
【背景技術】
【０００２】
渓流の釣りでは、下半身が水につかった状態で釣りが行われる。鮎釣りやシーバスフィッシングでも、釣り人は水につかって釣りを行う。これらの釣りでは、釣り人はウェーダーを着用する。ウェーダーは、防水性である。ウェーダーは、釣り人の体や衣服が濡れることを防ぐ。
【０００３】
図８は、従来のウェーダー２の一部が示された断面図である。このウェーダー２は、トラウザー４とブーツ６とからなる。図８には、トラウザー４の裾８の近傍及びブーツ６の上縁１０の近傍が示されている。裾８の内周面は、接着剤層１２によってブーツ６の外周面と接合されている。トラウザー４とブーツ６とは、水密に接合されている。トラウザー４とブーツ６とを備えたウェーダー２が、特開２０１１−８９２３８公報に開示されている。
【先行技術文献】
【特許文献】
【０００４】
【特許文献１】特開２０１１−８９２３８公報
【発明の概要】
【発明が解決しようとする課題】
【０００５】
ブーツ６を有するウェーダー２では、一般に、トラウザー４に非伸縮性の生地が用いられる。このトラウザー４の剛性は、低い。一方、ブーツ６には強度が必要なので、ブーツ６には硬度の高いゴム又は合成樹脂が用いられている。このブーツの剛性は、高い。トラウザー４とブーツ６との剛性差は、大きい。
【０００６】
釣り人は、歩行のとき、膝や足首を曲げる。トラウザー４は形状保持性を有さないので、歩行時に釣り人の脚と共に変形する。一方ブーツ６は、高硬度であるため変形しにくい。この結果、トラウザー４はブーツ６の上縁１０の近傍において局部的に折り曲げられ、かつ引っ張られる。上縁１０の近傍において、トラウザー４に応力が集中する。応力集中によってトラウザー４に穴が開き、この穴からブーツ６に水が進入してしまう。穴が開いたウェーダー２は、防水機能を発揮しないので、もはや使用に耐えない。
【０００７】
ウェーダー２が着用される釣りでは、釣り人は好ポイントを求めて広範囲を歩き回る。さらに釣り人は、岩に登る、しゃがむ等の動作を繰り返す。これらの動作への追従性の観点から、トラウザー４の股下が十分長く設定される。このトラウザー４がブーツ６の上縁１０において折れ曲がり、図９に示されるように、ブーツ６と釣り人の脛１４との間に浸入することがある。この浸入で生じたスペースには、水１６が溜まる。釣り人が陸に揚がっても、水１６が保持される。釣り人は、水１６の重みにより、不快を感じる。水１６の重みは、釣り人の行動を妨げる。水１６が溜まったままでの行動は、釣り人を疲れさせる。釣り人によってトラウザー４が引き上げられれば、水１６は排出される。しかし、引き上げの動作を頻繁に行うことは、釣り人にとって煩わしい。
【０００８】
本発明の目的は、トラウザーに穴が開きにくく、かつブーツの内部に水が溜まりにくいウェーダーの提供にある。
【課題を解決するための手段】
【０００９】
本発明に係るウェーダーは、裾を有するトラウザーと、ブーツと、その上縁の少なくとも一部がブーツの上縁よりも上方に位置する補強層とを備える。裾の近傍は、ブーツに接合されている。補強層は、裾の近傍においてトラウザーに積層されている。ブーツの周方向に沿って、補強層の上縁の高さは変動する。
【００１０】
好ましくは、補強層の上縁の、最も高い部分Ｐ１の高さと最も低い部分Ｐ２の高さとの差は、１０ｍｍ以上である。
【００１１】
好ましくは、補強層の一部は、トラウザーとブーツとに挟まれている。
【００１２】
ウェーダーが、シームテープをさらに備えてもよい。トラウザーが、裾の近傍において前身頃と後身頃とを有してもよい。この前身頃と後身頃とが、糸によって縫合されてもよい。糸がシームテープで覆われてることで、前身頃と後身頃との水密が達成されうる。好ましくは、補強層の上縁の最も高い部分Ｐ１は、シームテープに隣接する。
【発明の効果】
【００１３】
本発明に係るウェーダーでは、補強層によって裾近傍の剛性が高められる。ブーツの周方向に沿って補強層の上縁の高さが変動するので、トラウザーに係る応力が分散される。このトラウザーでは、穴が開きにくい。トラウザーがブーツの内部に折れ曲がるときに、ブーツと釣り人の脛との間に生じたスペースは、補強層に沿って傾斜する。この傾斜により、スペースに進入した水が排出される。このウェーダーでは、ブーツの内部に水が溜まりにくい。
【図面の簡単な説明】
【００１４】
【図１】図１は、本発明の一実施形態に係るウェーダーが示された斜視図である。
【図２】図２は、図１のウェーダーの一部が示された拡大図である。
【図３】図３は、図２のウェーダーの一部が示された拡大断面図である。
【図４】図４は、図３のIV−IV線に沿った断面図である。
【図５】図５は、図３のウェーダーの一部が示された拡大図である。
【図６】図６は、図４のウェーダーの補強層が示された展開図である。
【図７】図７は、本発明の他の実施形態に係るウェーダーの補強層が示された展開図である。
【図８】図８は、従来のウェーダーの一部が示された断面図である。
【図９】図９は、図８のウェーダーが水と共に示された断面図である。
【発明を実施するための形態】
【００１５】
以下、適宜図面が参照されつつ、好ましい実施形態に基づいて本発明が詳細に説明される。
【００１６】
図１は、本発明の一実施形態に係るウェーダー２０が示された斜視図である。このウェーダー２０は、トラウザー２２と、一対のブーツ２４とを備えている。トラウザー２２はブーツ２４と接合されている。トラウザー２２とブーツ２４とは、一体となっている。
【００１７】
図２及び３には、ブーツ２４が示されている。このブーツ２４は、アウトソール２６、ミッドソール２８及びアッパー３０を有している。図示されていないが、このブーツ２４は、インソールも備えている。
【００１８】
アウトソール２６は、フェルトからなる。フェルトは、濡れた岩場等におけるブーツ２４のスリップを防止する。アウトソール２６は、面ファスナー（例えば「マジックテープ（登録商標）」）によってミッドソール２８に接合されている。アウトソール２６は、ミッドソール２８に対して着脱自在である。フェルトが摩滅した場合は、アウトソール２６が交換されうる。アウトソール２６が、ゴム又は合成樹脂からなってもよい。アウトソール２６が、スパイクピンを備えてもよい。ブーツ２４が、ミッドソール２８からの取り外しができないアウトソール２６を備えてもよい。
【００１９】
ミッドソール２８は、ゴム組成物が架橋されてなる。ミッドソール２８には、強度に優れたゴムが用いられる。好ましいゴムとしては、天然ゴム、ポリブタジエン及びスチレン−ブタジエン共重合体が例示される。
【００２０】
アッパー３０は、ゴム組成物が架橋されることで成形されている。ゴム組成物の典型的な基材ゴムは、天然ゴムである。合成ゴムが、アッパー３０に用いられてもよい。アッパー３０が、合成樹脂から成形されてもよい。合成樹脂の具体例として、ポリ塩化ビニルが挙げられる。アッパー３０は、接着剤によってミッドソール２８と接合されている。アッパー３０が、加硫接着によってミッドソール２８と接合されてもよい。
【００２１】
トラウザー２２は、尻部３２と、一対の脚部３４と、一対の肩ベルト３６とを備えている。トラウザー２２は、防水透湿布地からなる。この防水透湿布地により、外部からの水の進入が阻止され、汗の水蒸気が外部へと放出される。この防水透湿布地により、蒸れが抑制される。防水透湿布地の具体例として、シマノ社の「ドライシールド」及びゴアテックス社の「ＧＯＲＥ−ＴＥＸ（登録商標）」が挙げられる。
【００２２】
図４に示されるように、トラウザー２２は、裾３８の近傍（すなわち脚部３４）において、前身頃４０と後身頃４２とを有している。前身頃４０と後身頃４２とは、糸４４によって縫合されている。縫合は、裾３８のインサイド及びアウトサイドにおいてなされている。
【００２３】
図２−５に示されるように、ウェーダー２０は、２つのシームテープ４６をさらに備えている。それぞれのシームテープ４６は、糸４４を覆っている。図示されていないが、シームテープ４６は、基布と、この基布に塗られたホットメルト接着剤とからなる。このホットメルト接着剤により、基布は、トラウザー２２に接着されている。このシームテープ４６により、前身頃４０と後身頃４２との水密が達成されている。
【００２４】
図２−５に示されるように、ウェーダー２０は、補強層４８をさらに備えている。図３及び４に示されるように、補強層４８は、第一シート５０と第二シート５２とからなる。第一シート５０は、トウ側に位置している。第二シート５２は、ヒール側に位置している。補強層４８が、単一のシートからなってもよい。補強層４８が、３以上のシートからなってもよい。補強層４８には、織布、不織布、樹脂シート、布と樹脂シートとの積層体、樹脂が含浸された布等が用いられうる。補強層４８に、シームテープ４６と同等の材質のシートが用いられてもよい。
【００２５】
図３に示されるように、補強層４８の下端５３の近傍は、アッパー３０の上縁５４の近傍と積層されている。補強層４８とアッパー３０とは、接合されている。接合は、接着剤によって達成されている。接合により、アッパー３０と補強層４８との水密が達成されている。補強層４８のうち、アッパー３０と積層されていない部分は、アッパー３０の上縁５４よりも上方に位置している。従って、補強層４８の上縁５６は、アッパー３０の上縁５４よりも上方に位置している。
【００２６】
図５に示されるように、トラウザー２２は、裾３８の近傍において、補強層４８と積層されている。トラウザー２２と補強層４８とは、接合されている。接合は、接着剤によって達成されている。接合により、トラウザー２２と補強層４８との水密が達成されている。前述の通り、補強層４８は、アッパー３０と接合されている。換言すれば、トラウザー２２は、補強層４８を介してアッパー３０と接合されている。補強層４８の一部は、トラウザー２２とアッパー３０とに挟まれている。
【００２７】
図５において、符号Ａで示された領域はトラウザー２２、補強層４８及びアッパー３０が存在する領域であり、符号Ｂで示された領域はトラウザー２２及び補強層４８が存在する領域であり、符号Ｃで示された領域はトラウザー２２のみが存在する領域である。領域Ａはアッパー３０を含むので、この領域Ａにおけるウェーダー２０の剛性Ｇａは大きい。領域Ｃはトラウザー２２のみを含むので、この領域Ｃにおけるウェーダー２０の剛性Ｇｃは小さい。領域Ｂはトラウザー２２に加えて補強層４８を含むので、この領域Ｂにおけるウェーダー２０の剛性Ｇｂは剛性Ｇｃよりも大きい。一方、領域Ｂはアッパー３０を含まないので、この領域Ｂにおけるウェーダー２０の剛性Ｇｂは剛性Ｇａよりも小さい。剛性Ｇａ、Ｇｂ及びＧｃの間には、下記数式に示される関係が成り立つ。
Ｇａ ＞ Ｇｂ ＞ Ｇｃ
適切な剛性Ｇｂが得られるように、補強層４８の材質及び厚みが設定される。
【００２８】
このウェーダー２０では、剛性Ｇｂが適度に大きいので、領域Ｂが倒れにくい。従って、アッパー３０の上縁５４における、トラウザー２２への応力集中が生じにくい。このトラウザー２２には、穴が開きにくい。このウェーダー２０は、長持ちする。
【００２９】
図６は、図４のウェーダー２０の補強層４８が示された展開図である。図６において、矢印Ｘで示された方向（左右方向）はブーツ２４の周方向であり、上下方向はブーツ２４の高さ方向である。図６から明らかなように、補強層４８の上縁５６の高さは、周方向Ｘに沿って変動する。換言すれば、領域Ｂ（図５参照）と領域Ｃとの境界の高さも、周方向Ｘに沿って変動する。従って、剛性Ｇｃが剛性Ｇｂよりも小さいにもかかわらず、補強層４８の上縁５６の近傍における、トラウザー２２への応力集中が生じにくい。このトラウザー２２には、穴が開きにくい。このウェーダー２０は、長持ちする。
【００３０】
もし補強層４８の上縁５６でトラウザー２２が折り返されて補強層４８の内側に入り込んでも、形成されるスペースの高さは、周方向Ｘに沿って変動する。従って、高い位置にある水が低い位置へと流れ、スペースから排出される。このウェーダー２０では、水が溜まりにくい。
【００３１】
図６において符号Ｐ１で示されているのは、上縁５６の中で最も高い部分である。図６において符号Ｐ２で示されているのは、上縁５６の中で最も低い部分である。図６において矢印Ｄで示されているのは、点Ｐ１の高さと点Ｐ２の高さとの差である。トラウザー２２に応力が集中しにくいとの観点、及び水が排出されやすいとの観点から、差Ｄは１０ｍｍ以上が好ましく、２０ｍｍ以上がより好ましく、２５ｍｍ以上が特に好ましい。差Ｄは、７０ｍｍ以下が好ましい。補強層４８の上縁５６の一部がアッパー３０の上縁５４（図３参照）よりも下方に位置する場合、最も低い部分の位置は、アッパー３０の上縁５４の位置と一致する。
【００３２】
図６から明らかなように、最も高い部分Ｐ１は、シームテープ４６に隣接している。この隣接により、点Ｐ１の高さが大きいにもかかわらず、点Ｐ１への応力集中が抑制される。図６において矢印Ｌで示されているのは、最も高い部分Ｐ１とシームテープ４６との距離である。距離Ｌは２０ｍｍ以下が好ましく、１０ｍｍ以下がより好ましく、５ｍｍ以下が特に好ましい。
【００３３】
図７は、本発明の他の実施形態に係るウェーダーの補強層６０が示された展開図である。このウェーダーの、補強層６０以外の部材の構成は、図１−６に示されたウェーダーのそれらと同じである。補強層６０は、第一シート６２及び第二シート６４からなる。第一シート６２は、トウ側に位置している。第二シート６４は、ヒール側に位置している。補強層６０が、単一のシートからなってもよい。補強層６０が、３以上のシートからなってもよい。補強層６０の材質は、図６に示された補強層４８の材質と同等である。
【００３４】
図７において、矢印Ｘで示された方向（左右方向）はブーツの周方向であり、上下方向はブーツの高さ方向である。図７から明らかなように、補強層６０の上縁６６の高さは、周方向Ｘに沿って変動する。従ってこのウェーダーでも、補強層６０の上縁６６の近傍における、トラウザーへの応力集中が生じにくい。このトラウザーには、穴が開きにくい。このウェーダーは、長持ちする。
【００３５】
もし補強層６０の上縁６６でトラウザーが折り返されて補強層６０の内側に入り込んでも、形成されるスペースの高さは、周方向Ｘに沿って変動する。従って、高い位置にある水が低い位置へと流れ、スペースから排出される。このウェーダーでは、水が溜まりにくい。
【００３６】
図７において符号Ｐ１で示されているのは、上縁６６の中で最も高い部分である。図７において符号Ｐ２で示されているのは、上縁６６の中で最も低い部分である。図７において矢印Ｄで示されているのは、点Ｐ１の高さと点Ｐ２の高さとの差である。トラウザーに応力が集中しにくいとの観点、及び水が排出されやすいとの観点から、差Ｄは１０ｍｍ以上が好ましく、２０ｍｍ以上がより好ましく、２５ｍｍ以上が特に好ましい。差Ｄは、７０ｍｍ以下が好ましい。補強層６０の上縁６６の一部がアッパーの上縁よりも下方に位置する場合、最も低い部分の位置は、アッパーの上縁の位置と一致する。
【産業上の利用可能性】
【００３７】
本発明に係るウェーダーは、種々の釣り場において利用されうる。このウェーダーは、釣り以外の用途にも用いられうる。
【符号の説明】
【００３８】
２０・・・ウェーダー
２２・・・トラウザー
２４・・・ブーツ
３０・・・アッパー
３４・・・脚部
４０・・・前身頃
４２・・・後身頃
４４・・・糸
４６・・・シームテープ
４８、６０・・・補強層
５０、６２・・・第一シート
５２、６４・・・第二シート
５４・・・ブーツの上縁
５６、６６・・・補強層の上縁
【図１】
0006568432.tif 000002
【図２】
0006568432.tif 000003
【図３】
0006568432.tif 000004
【図４】
0006568432.tif 000005
【図５】
0006568432.tif 000006
【図６】
0006568432.tif 000007
【図７】
0006568432.tif 000008
【図８】
0006568432.tif 000009
【図９】
0006568432.tif 000010